(57)【特許請求の範囲】
【請求項１】
容器口が一端に開口された筒状部を備えると共に粉体化粧料を収容する容器本体と、この容器本体に対して着脱可能に装着され前記容器口を覆うキャップと、このキャップに保持され、当該キャップが前記容器本体に対して着脱されることで前記容器口を通して前記容器本体内に対して挿脱される塗布具と、を備える粉体化粧料用容器であって、
前記塗布具は、球状を成し、
前記容器本体内には、前記粉体化粧料を収容する領域と前記塗布具が位置する領域とに仕切ると共に、前記粉体化粧料の両領域への通過を可能とする中蓋が配設され、
前記容器本体は、
前記容器口に向かうに従い内周面と外周面が共に広がるラッパ形状に構成された区間と、
このラッパ形状の開始位置から前記中蓋に亘って同じ内径でストレートに続く筒状に構成され、その内周面が前記球状を成す塗布具の側部に密着し当該塗布具を抑え付ける区間と、を有することを特徴とする粉体化粧料用容器。
【請求項２】
前記キャップは、前記容器本体のラッパ形状と同じラッパ形状を備え、
前記キャップ及び前記容器本体のラッパ形状先端の口同士が合致することを特徴とする請求項１記載の粉体化粧料用容器。
【発明の詳細な説明】
【０００１】
【発明の属する技術分野】
本発明は、粉体化粧料を収容すると共に当該粉体化粧料が付着した塗布具を必要に応じて取り出して皮膚等に塗布し得る粉体化粧料用容器に関する。
【０００２】
【従来の技術】
従来、塗布具を備える粉体化粧料用容器として、例えば特開平１１−２９０１１９号公報等に記載のものが知られている。この粉体化粧料用容器は、容器口が一端に開口された円筒状部を上部に備えて粉体化粧料を収容する容器本体と、この容器本体内に対して容器口を通して挿脱される塗布具としての所謂梵天（植毛パフ等とも呼ばれる）と、一端に梵天を保持し他端が容器口を通して容器本体外に延出して使用者に把持される把持部と、を具備し、容器本体内で粉体化粧料を付着した梵天が、使用者により、容器本体内から容器口を通して抜脱されて、梵天に付着する粉体化粧料が皮膚等に塗布され、使用後には、この梵天が、使用者により、容器口を通して挿入されて容器本体内に戻される。
【０００３】
【発明が解決しようとする課題】
しかしながら、上記粉体化粧料用容器にあっては、梵天抜脱時には、容器本体内で粉体化粧料が十分に付着した梵天が容器口で一気に広がり、また、梵天挿入時には、粉体化粧料が塗り残る梵天が容器口で一気に窄まるため、梵天挿脱時に粉体化粧料が周囲へ飛散し周囲を汚してしまう。
【０００４】
本発明は、このような課題を解決するために成されたものであり、梵天を始めとした塗布具の容器本体に対する挿脱時に、塗布具から粉体化粧料が周囲へ飛散するのを抑止する粉体化粧料用容器を提供することを目的とする。
【０００５】
【課題を解決するための手段】
本発明による粉体化粧料用容器は、容器口が一端に開口された筒状部を備えると共に粉体化粧料を収容する容器本体と、この容器本体に対して着脱可能に装着され容器口を覆うキャップと、このキャップに保持され、当該キャップが容器本体に対して着脱されることで容器口を通して容器本体内に対して挿脱される塗布具と、を備える粉体化粧料用容器であって、塗布具は、球状を成し、容器本体内には、粉体化粧料を収容する領域と塗布具が位置する領域とに仕切ると共に、粉体化粧料の両領域への通過を可能とする中蓋が配設され、容器本体は、容器口に向かうに従い内周面と外周面が共に広がるラッパ形状に構成された区間と、このラッパ形状の開始位置から中蓋に亘って同じ内径でストレートに続く筒状に構成され、その内周面が、球状を成す塗布具の側部に密着し当該塗布具を抑え付ける区間と、を有することを特徴としている。
【０００６】
このような粉体化粧料用容器によれば、粉体化粧料を収容する容器本体が、容器口に向かうに従い内周面と外周面が共に広がるラッパ形状を有しているため、塗布具を容器口を通して容器本体内に対して挿脱する際に、塗布具が、ラッパ形状の開口の広がり／窄まりに従って徐々に変形され、抜脱時に塗布具の容器口での一気に広がる変形が抑止されると共に、挿入時に塗布具の容器口での一気に窄まる変形が抑止されるようになる。
【０００８】
ここで、キャップは、容器本体のラッパ形状と同じラッパ形状を備え、キャップ及び容器本体のラッパ形状先端の口同士が合致する構成であると、合わせ部に環状の山型が形成され、従来に無い好適なデザインとされる。
【００１２】
【発明の実施の形態】
以下、本発明による粉体化粧料用容器の好適な実施形態について添付図面を参照しながら説明する。図１は、本発明の実施形態に係る粉体化粧料用容器を示す正面図、図２は、図１に示す粉体化粧料用容器の縦断面図、図３は、図１に示す粉体化粧料用容器のキャップを抽出して示す正面図であり、当該容器は例えばフェイスパウダーやチークパウダー等の粉体化粧料を収容するものである。
【００１３】
図１及び図２に示すように、粉体化粧料用容器１は概略、粉体化粧料２（図２参照）を収容する容器本体３と、この容器本体３に対して着脱可能に装着されるキャップ４と、を備えている。
【００１４】
容器本体３は、有底略円筒体を成し、上端が容器口５として開口されている。容器本体３内は、図２に示すように、当該容器本体３内の軸線方向略中央に嵌着される中蓋６により上下に仕切られ、この中蓋６より下方の領域に上記粉体化粧料２が収容されている。この中蓋６は、当該中蓋６より上方の領域と下方の領域とを連通し粉体化粧料２を通過させる開口６ａを複数備えている。
【００１５】
キャップ４は、図１〜図３に示すように、有底略円筒体を逆さにして成り、下端がキャップ口７として開口され、図１及び図２に示すように、容器本体３の容器口５を覆うように容器本体３に対面して装着されている。このキャップ４は、図２に示すように、キャップ口７を通して容器本体３内に突出し、先端に塗布具としての所謂梵天９（パフ）を固着する円筒状の軸体（保持体）８を備えている。
【００１６】
軸体８は、その上端が、キャップ４内の上部に周方向に沿って複数形成され軸心に向かって突出する凸部４ｂの下端に突き当てられると共に、キャップ４内の凸部４ｂより下方の内周面に形成される環状凸部４ｃに、軸体８の上部に形成される環状溝８ｃが圧入して嵌め込まれることで、キャップ４に対して装着されている。
【００１７】
梵天９は、図２及び図３に示すように、多数の毛を略球状に束ねて軸体８先端に固着されると共に全体で所定の弾力性を有し、図２に示すように、キャップ４が容器本体３に装着された状態で中蓋６近く迄挿入されている。
【００１８】
ここで、特に、本実施形態においては、図１及び図２に示すように、容器本体３上部の容器口５を備える円筒状部３ａが、容器口５に向かうに従い（図示上方に向かうに従い）内周面と外周面が共に広がるラッパ形状とされている。このラッパ形状は、容器口５に向かうに従い開口が徐々に緩やかに拡大する。
【００１９】
また、キャップ４も、キャップ口７を備える円筒状部４ａが、容器本体３の円筒状部３ａと同様に構成され、キャップ口７に向かうに従い（図示下方に向かうに従い）内周面と外周面が共に広がるラッパ形状とされている。そして、これらのラッパ形状の端面同士は、キャップ４が容器本体３に装着された状態で合わされ、図１に示すように、合わせ部に環状の山型が形成されるデザインとされている。このデザインは、従来に無く好適なデザインで、外観に優れている。また、粉体化粧料用容器１としては、合わせ部に環状の山型を備える細長い円筒体とされ、細くスリムとされているため、コンパクト化が図られると共に持ち運びし易いハンディタイプとされ且つ外観が良く、その上、容器本体３及びキャップ４を持つのが容易とされている。
【００２０】
そして、図２に示すように、軸体８の下部外周面と、容器本体３の上部で上記ラッパ形状を成す内周面より下方の内周面とには、螺合部としての雄ネジ１０、雌ネジ１１が各々形成され、これら螺子１０，１１同士が螺合することで、キャップ４が容器本体３に装着されている。なお、キャップ（若しくは軸体）の下部が容器本体の円筒状部を周囲から囲繞する形状として当該キャップの下部の内周面と、容器本体の円筒状部の外周面とに螺合部を各々形成して、キャップを容器本体に対して螺合する構成も想起されるが、円筒状部が本実施形態のようにラッパ形状であると、キャップの容器本体に対する着脱が不可能であり、本実施形態のように、軸体８の外周面と容器本体３の内周面とに螺合部を形成することで、ラッパ形状の円筒状部に対するキャップの着脱が可能とされる。
【００２１】
このように構成された粉体化粧料用容器１では、キャップ４を容器本体３に装着した状態で、使用者が例えば振る等することで、粉体化粧料２が中蓋６の開口６ａを通して梵天９に付着する。この梵天９は、容器本体３内では内周面に密着し全体の毛が丸まるように抑え付けられている。
【００２２】
使用時にあっては、使用者がキャップ４を回すことで、キャップ４が回転しながら容器本体３に対して離れていく。そして、キャップ４を回し続けると螺子１０，１１の螺合が解除され、使用者は、螺合の解除されたキャップ４を軸線方向に引き抜いていく。
【００２３】
この時、梵天９は、容器本体３の円筒状部３ａ内を容器口５に向かって移動し、その際に、円筒状部３ａの緩やかに広がる開口に従って、丸まるように抑え付けられている全体の毛が徐々に広がるように変形していく。
【００２４】
梵天９が容器本体３の容器口５に至る辺りでは、開口が十分に広くされているため、梵天９に対する円筒状部３ａによる抑え力は概ね解除されていて、当該梵天９の全体の毛は概ね開くきることになり、梵天９が容器口５から抜脱される際には、従来のように毛が一気に広がるということは無く、梵天９からの粉体化粧料２の周囲に対する飛散が抑止されている。
【００２５】
そして、粉体化粧料２を皮膚等に対して塗布するにあたっては、キャップ４を持って梵天９による塗布を行う。このため、従来の塗布具とキャップが別体の粉体化粧料用容器のようにキャップを何処かに置いておくという必要が無く、塗布時のキャップの置き場所に困るということが無い。
【００２６】
また、梵天９は柔らかい球状であることから、当該梵天９による粉体化粧料２の塗布は、顔等の立体部に対して好適である。
【００２７】
使用後にあっては、使用者は、キャップ４を、梵天９が容器口５を通過するように容器本体３に挿入していく。この時、容器口５は、前述のように十分に広く開口されているため、梵天９は、容器口５で従来のように毛が一気に窄まる変形をするということは無く、梵天９に塗り残る粉体化粧料２の周囲に対する飛散が抑止されている。
【００２８】
そして、梵天９は、円筒状部３ａの緩やかに窄まる開口に従って、徐々に窄まっていき、螺子１０，１１同士が突き当たり使用者がキャップ４を回すことで、当該キャップ４が回転しながら螺子１０，１１が螺合していき、容器本体３に対してキャップ４が装着される。
【００２９】
このように、本実施形態においては、粉体化粧料２を収容する容器本体３の円筒状部３ａが、容器口５に向かうに従い開口が広がる形状とされているため、梵天９の挿脱時に当該梵天９が円筒状部３ａの開口の広がり／窄まりに従って徐々に変形し、抜脱時に梵天９の容器口５での一気に広がる変形が抑止されていると共に、挿入時に梵天９の容器口５での一気に窄まる変形が抑止されていて、梵天９から粉体化粧料２が周囲へ飛散することが抑止されている。
【００３０】
また、中蓋６により、収容されている粉体化粧料２に梵天９が直接浸漬していないため、梵天９に対する粉体化粧料２の付き過ぎが防止され、梵天挿脱時の粉体化粧料２の容器口５での飛散が一層抑止されている。
【００３１】
以上、本発明をその実施形態に基づき具体的に説明したが、本発明は上記実施形態に限定されるものではなく、例えば、上記実施形態においては、デザイン的に好ましいとしてキャップ４もラッパ形状としているが、キャップ４はラッパ形状でなくても良く、単なる円筒形状であっても良い。
【００３２】
また、デザイン的に好ましいとしてキャップ４もラッパ形状としているが、キャップ４はラッパ形状でなくても良く、単なる円筒形状であっても良い。
【００３３】
また、容器本体３やキャップ４は、矩形でも良い。
【００３６】
【発明の効果】
本発明による粉体化粧料用容器は、粉体化粧料を収容する容器本体を、容器口に向かうに従い内周面と外周面が共に広がるラッパ形状とし、塗布具を容器口を通して容器本体内に対して挿脱する際に、塗布具を、ラッパ形状の開口の広がり／窄まりに従って徐々に変形させ、抜脱時に塗布具の容器口での一気に広がる変形を抑止すると共に、挿入時に塗布具の容器口での一気に窄まる変形を抑止するように構成したものであるから、塗布具から粉体化粧料が周囲へ飛散することを抑止するのが可能となる。
【図面の簡単な説明】
【図１】本発明の実施形態に係る粉体化粧料用容器を示す正面図である。
【図２】図１に示す粉体化粧料用容器の縦断面図である。
【図３】図１に示す粉体化粧料用容器のキャップを抽出して示す正面図である。
【符号の説明】
１…粉体化粧料用容器、２…粉体化粧料、３…容器本体、３ａ…円筒状部（筒状部）、４…キャップ、５…容器口、７…キャップ口、８…軸体（保持体）、９…梵天（パフ；塗布具）、１０…雄ネジ（螺合部）、１１…雌ネジ（螺合部）。
【図１】
0004053813.tif 000002
【図２】
0004053813.tif 000003
【図３】
0004053813.tif 000004